(57)【要約】【課題】花粉、ダニ等の有するアレルゲンを不活性化し、アレルギーの発生を抑制する建材の性能を評価するため、実際の日常生活における状態を再現して、アレルゲン不活性化建材の有するアレルゲンを不活性化する性能を簡易に定量分析できる検査装置及び検査方法の提供を目的とする。【解決手段】アレルゲン検査装置の箱体の床面にアレルゲン不活性化処理を施した試験体を設置し、少なくとも日常的な生活環境の範囲内における温湿度に箱体内部を調整した後、予め定量したアレルゲン粉末を試験体上に散布しアレルゲンの不活性化反応をさせた後、試験体上のアレルゲン粉末を回収し、粉末に含まれるアレルゲン量を定量分析して不活性化率を算出する。【選択図】  図１
2010032309.tif 000002
【特許請求の範囲】
【請求項１】
試験体を設置する箱体と、箱体内の温湿度を調節する温湿度調整装置と、アレルゲン粉末を試験体上に散布する粉末投入装置と、アレルゲン粉末を箱体内に均一に分散させるための空気循環装置と、試験体上に散布されたアレルゲン粉末を回収する粉末回収装置とからなることを特徴とするアレルゲン検査装置。
【請求項２】
アレルゲン検査装置の箱体の床面にアレルゲン不活性化処理を施した試験体を設置し、少なくとも日常的な生活環境の範囲内における温湿度に箱体内部を調整した後、予め定量したアレルゲン粉末を試験体上に散布しアレルゲンの不活性化反応をさせた後、試験体上のアレルゲン粉末を回収し、粉末に含まれるアレルゲン量を定量分析して不活性化率を算出することを特徴とするアレルゲン検査方法。
【発明の詳細な説明】
【技術分野】
【０００１】
本発明は、日常の生活環境において、ダニや花粉等が有するアレルゲンを実際の生活環境と同じ状況下において、簡単に検知し定量分析することができるアレルゲン検査装置に関するものである。
【背景技術】
【０００２】
近年、ダニや花粉等が有するアレルゲンに起因するアレルギー症状の患者が増加し、特に花粉症は国民の５人に１人が発症しており、新たな治療法や薬が開発されているだけでなく、保護用のマスク、掃除用品、空気清浄機等、種々の花粉対策製品が大きな市場を築くまでになっている。
【０００３】
また、例えば、特開２００６−１８３２３５に見られるように、室内を構成する建材として、アレルゲンを不活性化し、アレルギーの発生を抑制する天井材、壁材等が開発されている。これは、アレルゲンを不活性化する薬剤が建材に添加されたもので、建材表面にアレルゲンが付着することで分解され不活性化されるので、空気清浄機等の器具を使うことなく電気代等のランニングコストがかからず、部屋自体でアレルギーの発生を抑制する点において効果が期待される。
【特許文献１】特開２００６−１８３２３５公報
【発明の開示】
【発明が解決しようとする課題】
【０００４】
一方、本建材が有するアレルゲン不活性化の効果を調べるための検査法として、前記公報の実施例に記載のように、不活性化させるための酵素を含んだ試験体にダニアレルゲンを有する市販のダニ抽出溶液を添加、インキュベーションし、酵素とダニアレルゲンを反応させた後、抽出緩衝液を添加して未反応のダニアレルゲンを抽出し定量分析を行うことが一般的である。
【０００５】
しかし、日常生活においてはアレルゲンを不活性化する建材に、アレルゲンを有する花粉やダニが接触するのであって、アレルゲンを抽出した高濃度の溶液が付着する訳ではなく、特にアレルゲンの反応は溶液状態において促進されるので、前記試験を行ったとしてもこれらのアレルゲン不活性化建材の性能を必ずしも明確に示していることにはならない。
【０００６】
本発明は、かかる問題点に鑑みなされたものであり、実際の日常生活における状態を再現して、アレルゲン不活性化建材の有するアレルゲンを不活性化する性能を簡易に定量分析できる検査装置及び検査方法の提供を目的とする。
【課題を解決するための手段】
【０００７】
上記目的を解決するために、請求項１に係る発明のアレルゲン検査装置は、試験体を設置する箱体と、箱体内の温湿度を調節する温湿度調整装置と、アレルゲン粉末を試験体上に散布する粉末投入装置と、アレルゲン粉末を箱体内に均一に分散させるための空気循環装置と、試験体上に散布されたアレルゲン粉末を回収する粉末回収装置とからなることを特徴とする。
【０００８】
請求項２に係る発明のアレルゲン検査方法は、アレルゲン検査装置の箱体の床面にアレルゲン不活性化処理を施した試験体を設置し、少なくとも日常的な生活環境の範囲内における温湿度に箱体内部を調整した後、予め定量したアレルゲン粉末を試験体上に散布しアレルゲンの不活性化反応をさせた後、試験体上のアレルゲン粉末を回収し、粉末に含まれるアレルゲン量を定量分析して不活性化率を算出することを特徴とする。
【発明の効果】
【０００９】
請求項１に係る発明のアレルゲン検査装置によれば、試験体を設置する箱体と、箱体内の温湿度を調節する温湿度調整装置と、アレルゲン粉末を試験体上に散布する粉末投入装置と、アレルゲン粉末を箱体内に均一に分散させるための空気循環装置と、試験体上に散布されたアレルゲン粉末を回収する粉末回収装置とからなり、実際の日常生活における建材へのアレルゲンの付着状態を簡単に再現することができ、アレルゲン不活性化建材の有するアレルゲンを不活性化する性能について、複雑な操作を行うことなく簡易に定量分析を行うことができるので、実情に即したアレルゲン不活性化建材の開発を大規模な実験施設を使用することなく行うことができる。
【００１０】
請求項２に記載のアレルゲン検査方法によれば、請求項１のアレルゲン検査装置を用いた検査方法を具体的に示したものであり、複雑な作業を伴わず簡単に行うことができる。
【発明を実施するための最良の形態】
【００１１】
以下、本発明を実施するための実施形態を図１〜図４に基づき説明する。もちろん本発明は本実施形態の記載内容に限られるものではない。
【００１２】
図１は本発明のアレルゲン検査装置Ａを示すものであり、箱体５０に粉末投入装置１０、粉末回収装置２０、温湿度調整装置３０、空気循環装置４０がそれぞれ取り付けられている。
【００１３】
以下、本検査装置Ａを用いたアレルゲン検査装置及びアレルゲン検査の方法について説明する。
【００１４】
アレルゲン不活性化処理を施した建材が有するアレルゲン不活性化の性能を検査するために、所定寸法１ｍ×１ｍの試験体Ｂを切り出して、内寸が１ｍ×１ｍ×１ｍの箱体５０の床面に設置する。箱体を構成する面材の材質はステンレス、ガラス、紙、アクリル等からなり、できるだけ粉末が付着し難いものが好ましいが、帯電によりアレルゲン粉末Ｃが付着する際は、予め付着量を算出しておく必要がある。また、特に記載はしないが、箱体５０には試験片Ｂを箱体内に設置するために開閉部が設けられ、閉じた状態ではアレルゲン粉末Ｃが外部に漏れないように密閉される。
【００１５】
温湿度調整装置３０の温湿度調整部３１を作動させ温湿度センサー３２を確認しながら一定の温湿度になるように調整する。ここでは、２３℃６０％で実施しているが、特に温湿度は決まっている訳ではなく、建材によるアレルゲン不活性化は日常的な生活環境において行われるので、少なくとも通常経験するその範囲内の温湿度で実施すれば良い。
【００１６】
また、この時に空気循環装置４０を用いて箱体内の温湿度を均等にする。温湿度調整部３１はヒータ、加湿器、冷凍機からなる恒温高湿器を用いるときは温湿度センサーにより自動制御される場合が多いが、簡易なものであれば、市販の温湿度センサー（例えばＴ＆Ｄ社製の「おんどとり」）を別途使用して、ヒーターと無機飽和塩を用いて手動で調整した空気をファンで箱体内部に送ることもできる。
【００１７】
温湿度が一定になったことを確認した後、粉末投入装置１０の投入容器１１に、試験体の表面積に応じて予め定量したアレルゲン粉末Ｃを投入し、コンプレッサー１３を作動させアレルゲン粉末Ｃを投入ノズル１２から箱体内に投入する。この時空気循環装置４０を風速２ｍ／秒程度で作動させ、アレルゲン粉末Ｃを撹拌し箱体内に均一に分散させる。
【００１８】
アレルゲン粉末Ｃは、花粉、ダニの糞や死骸、カビ（胞子）、ペットの毛や垢等からなる乾燥した粉末で、粒径３００μｍ以下のものが好ましい。また、市販の精製アレルゲンだけでなく、実際に居住環境で収集したものを用いても良い。散布量としては、１ｍ×１ｍの試験体Ｂに対して２００ｍｇ／ｍ２程度が従来の検査から経験上好ましい。
【００１９】
投入後数分間、空気循環装置４０を作動させた後停止して、アレルゲン粉末Ｃを試験体Ｂ上に自然落下させる。図２に示すようにアレルゲン粉末Ｃは試験体Ｂ上にほぼ均一に散布される。落下後２４時間かけてアレルゲン粉末Ｃを試験体Ｂと接触反応させた。アレルゲンの不活性化反応に要する時間は、アレルゲンや不活性化の薬剤の種類によって異なるが、２４時間あれば反応時間は十分である。
【００２０】
その後、粉末回収装置２０で、試験片Ｂ上のアレルゲン粉末Ｃを回収する。具体的には吸込み仕事率２００Ｗ以上の電気掃除機を改造したもので、集塵機（掃除機本体）２３に接続したホース２２の先端の吸込ノズル（床材の全幅をカバーする寸法を有する）を、図３、図４に示すように矢印の方向に移動させてアレルゲン粉末を吸込み、試験毎に新品のごみパックに回収する。
【００２１】
ごみパックに回収したアレルゲン粉末を、アレルゲン粉末２０ｍｇに対して燐酸緩衝生理食塩水（１％ＢＳＡ／Ｔ−ＰＢＳ）１０ｍｌの割合で３０分間抽出した後、遠心分離機で不溶物を沈殿させた上澄み液からＥＬＩＳＡ法を用いてアレルゲンの濃度を測定した。なお、濃度測定は、予めアレルゲン不活性化処理をしていない試験体（ブランク）を用いて前記と同様の測定を行い、双方の測定値の差から不活性化の割合を計算し、試験体の性能を評価した。
【産業上の利用可能性】
【００２２】
本発明のアレルゲン検査装置及びこれを用いたアレルゲン検査方法は、ダニや花粉等が有するアレルゲンを実際の使用状態と同じ状況で簡単に検知し定量分析することができ、建材はもちろんのこと建材以外の材料においてもアレルゲンを不活性化する材料の開発等に使用することができるので、極めて有用で産業上の利用可能性が高い。
【図面の簡単な説明】
【００２３】
【図１】本発明のアレルゲン検査装置の概要を示す参考斜視図。
【図２】アレルゲン粉末の散布状態を示す参考斜視図。
【図３】アレルゲン粉末の回収途中を示す参考斜視図。
【図４】アレルゲン粉末の回収完了を示す参考斜視図。
【符号の説明】
【００２４】
Ａ          アレルゲン検査装置
Ｂ          試験体
Ｃ          アレルゲン粉末
１０        粉末投入装置
１１        投入容器
１２        投入ノズル
１３        コンプレッサー
２０        粉末回収装置
２１        吸込ノズル
２２        ホース
２３        集塵機
３０        温湿度調整装置
３１        温湿度調整部
３２        温湿度センサー
４０        空気循環装置
５０        箱体
【図１】
2010032309.tif 000003
【図２】
2010032309.tif 000004
【図３】
2010032309.tif 000005
【図４】
2010032309.tif 000006